(57)【要約】      （修正有）【課題】糸ほつれや強度の低下が起こりにくい教材用布地を提供する。【解決手段】裁断線２が印刷された教材用布地１であって、少なくとも前記裁断線２が印刷された箇所に、布地強化部３を有する。前記布地強化部３は、前記教材用布地１がアクリル系樹脂のバインダで固められて形成されている。【選択図】図１
0003196391.tif 000002
【実用新案登録請求の範囲】
【請求項１】
裁断線が印刷された教材用布地であって、少なくとも前記裁断線が印刷された箇所に、布地強化部を有することを特徴とする教材用布地。
【請求項２】
前記布地強化部は、前記教材用布地がバインダで固められて形成されていることを特徴とする請求項１に記載の教材用布地。
【請求項３】
前記バインダが、アクリル系樹脂であることを特徴とする請求項２に記載の教材用布地。
【請求項４】
前記教材用布地は、付属品縫い付け箇所に、布地強化部を有することを特徴とする請求項１乃至３のいずれか一項に記載の教材用布地。
【請求項５】
前記裁断線は、ぬいしろ線であることを特徴とする請求項１に記載の教材用布地。
【考案の詳細な説明】
【技術分野】
【０００１】
本考案は、教材用布地に関する。
【背景技術】
【０００２】
小学校高学年生、中学生、高校生の家庭科の授業において、裁縫の実習が行われている。例えば、特許文献１には、矩形状の布地に予め裁断線や縁縫い線をプリント印刷した教材用エプロンが開示されている。また、特許文献２には、学校で被服の実習をする際の教材として、生地そのものに型紙と説明書を印刷することが開示されている。
【先行技術文献】
【特許文献】
【０００３】
【特許文献１】特開２００３−２２７０１８号公報
【特許文献２】特開２００２−１２９４２１号公報
【考案の概要】
【考案が解決しようとする課題】
【０００４】
ところが、布地は裁断を行った箇所から糸がほつれることがあり、作製した作品の見栄えが悪くなることがある。また、作業者が慣れない手つきでボタン等の縫い付けを行うと、縫い付けを行った箇所の布地の強度が低下し、布地に穴が開き易くなったり、縫い付けたボタン等が取れ易くなることがある。上記課題に鑑み、本考案は、糸ほつれが生じにくい教材用布地を提供することを目的とする。
【０００５】
また、本考案は、強度の低下が起こりにくい教材用布地を提供することも目的とする。
【課題を解決するための手段】
【０００６】
上記課題を解決するため、請求項１は、裁断線が印刷された教材用布地であって、少なくとも前記裁断線が印刷された箇所に、布地強化部を有することを特徴とする。
請求項２は、前記布地強化部は、前記教材用布地がバインダで固められて形成されていることを特徴とする。
【０００７】
請求項３は、前記バインダが、透明な材料であることを特徴とする。
請求項４は、前記教材用布地は、付属品縫い付け箇所に、布地強化部を有することを特徴とする。
【０００８】
請求項５は、前記裁断線は、ぬいしろ線であることを特徴とする。
【考案の効果】
【０００９】
本考案の教材用布地によれば、糸ほつれが起こりにくくなる。また、強度の低下が起こりにくくなる。
【図面の簡単な説明】
【００１０】
【図１】本実施形態のファイルカバー用布地の平面図
【図２】付属品縫い付け箇所にも布地強化部を有するファイルカバー用布地の平面図
【図３】ファイルカバー用布地を裁断し、わき縫いをした平面図
【図４】ファイルカバー用布地を折り返し、並縫いをした平面図
【図５】布地の表裏を反転させ、直線縫いをした平面図
【図６】左側を折り返した平面図
【図７】覆い部を折り返し、スナップで固定した平面図
【図８】ファイルカバー用布地の変更例の平面図
【考案を実施するための形態】
【００１１】
以下、本考案を見開き二つ折りタイプのファイルの表紙と裏表紙とを差し込んでファイルをカバーすることのできるファイルカバー用型紙に具体化した教材用布地の一実施形態を図１〜８にしたがって説明する。
【００１２】
図１に示す教材用布地１は、完成品となるファイルカバーの内面となる布地の裏面が紙面に対して表側となるよう、いわゆる裏向きに配置した状態を図示しており、完成品となるファイルカバーの外面となる布地の表面は図示されていない。そして、教材用布地１の裏面に裁断線（ぬいしろ線）２、できあがり線４ａ〜４ｄ、折り線５が予め印刷されている。また、該裏面には布地強化部３が形成されている。さらに、４ツ穴ボタンつけ位置７、スナップ（凸）つけ位置８、スナップ（凹）つけ位置９等の付属品縫い付け箇所も印刷されている。また、図１には省略されているが、図４に示すように、付属品縫い付け箇所としてアイロンバイアステープつけ位置６も印刷されている。さらに、上記教材用布地１には、対象となるファイルのサイズ（Ａ４用ファイル）や線の種類を説明する説明部２０、２５、４ツ穴ボタンやスナップ等の付属品を教材用布地１の表面か裏面のどちらの面に取りつけるのかを表示する取り付け面表示部２１、付属品の種類を表示する付属品表示部２２〜２４、ファイルのサイズを表示するサイズ表示部２６、２７、練習ぬい用エリア１０も印刷されている。
【００１３】
教材用布地１に用いる布地としては、特に限定されず、織物、編み物、レース、フェルト、不織布等、公知の布地を適宜用いることができる。また、上記織物としても特に限定されず、平織り、綾織り等、公知の方法で織られた織物を用いることができる。また、布地を構成する繊維の素材としても特に限定されず、天然繊維（麻、綿、絹等）、再生繊維、合成繊維等を適宜用いることができる。それらの中でも、インクにより線等を印刷しやすい布地を用いることが好ましい。インクにより線等を印刷しやすい布地としては、例えば、オックス、コットンリネン、ツイル等を用いることが好ましい。
【００１４】
布地に裁断線（ぬいしろ線）２等を印刷するために用いられるインクは、特に限定されず、公知のインクを適宜用いることができる。例えば、染料系インク、顔料系インク等を用いることができる。それらの中でも、布地を洗濯することにより消えるインクを用いると、後でインクの線を消すことができるため好ましい。インクは単独で使用しても、２種以上を組合わせて使用してもよい。
【００１５】
布地に裁断線（ぬいしろ線）２等を印刷する方法としては、特に限定されず、公知の印刷方法を適宜用いることができる。例えば、手書きしたり、印刷技術で用いられるスクリーン印刷方式、グラビア印刷方式、オフセット印刷方式、フレキソ印刷方式等を用いることができる。それらの中でも、布等の柔らかい材料への印刷が容易な印刷方式を用いることが好ましい。布等の柔らかい材料への印刷が容易な印刷方式としては、スクリーン印刷方式を用いることが好ましい。
【００１６】
裁断線（ぬいしろ線）２等を印刷する布地の面としては、特に限定されず、教材用布地１の表面に印刷してもよく、教材用布地１の裏面に印刷してもよく、又は、両面から印刷してもよい。
【００１７】
布地強化部３は、教材用布地１において、裁断を行った箇所の糸ほつれや、付属品の縫い付けを行った箇所の強度低下が起こらないように加工が施された部分を意味する。裁断を行う箇所としては、ぬいしろ線、裁ち切り線等が印刷された箇所が挙げられる。また、付属品の縫い付けを行う箇所としては、ボタン、スナップ、ポケット、アップリケ、ワッペン等の付属品を縫い付ける箇所が挙げられる。
【００１８】
布地強化部３を形成する方法としては特に限定されず、公知の方法が適宜用いられる。例えば、布地にバインダを塗布して繊維同士を固めたり、布地を加熱して繊維同士を融着させる方法等を用いることができる。それらの中でも、布地にバインダを塗布して繊維同士を固める方法は、布地自体の材質を変化させず、布地の外観を維持しやすいため好ましい。
【００１９】
布地にバインダを塗布して繊維同士を固める方法としては、特に限定されず、例えば、バインダを布地に浸み込ませた後、布地を加熱してバインダを硬化させることにより行うことができる。又は、バインダを溶媒に溶解し、液体化させて布地に浸み込ませた後、溶媒を除去してバインダを固体化させることにより行うことができる。バインダを布地に浸み込ませる方法としては、例えば、刷毛を用いて塗布したり、インクを印刷する方法として例示した公知の印刷方法を適宜採用することができる。
【００２０】
バインダとしては、特に限定されず、公知の材料を適宜用いることができる。例えば、樹脂を用いることができる。その中でも、透明な樹脂を用いると、布地の外観を維持することが容易になるため好ましい。透明な樹脂としては、アクリル系樹脂を用いることが好ましい。アクリル系樹脂は、予め溶媒に溶解させて用いると、塗布しやすくなるため好ましい。上記溶媒としては特に限定されず、公知の溶媒を適宜用いることができる。溶媒は単独で使用しても、２種以上を組合わせて使用してもよい。バインダは単独で使用しても、２種以上を組合わせて使用してもよい。
【００２１】
バインダを塗布する布地の面としては、特に限定されず、教材用布地１の表面に塗布してもよく、教材用布地１の裏面に塗布してもよく、又は、両面から塗布してもよい。布地に裁断線（ぬいしろ線）２等を印刷した面と同じ面にバインダを塗布した方が、裁断線（ぬいしろ線）２等と布地強化部３の位置を目視で確認しやすくなるため好ましい。
【００２２】
布地強化部３は、少なくとも裁断線（ぬいしろ線）２が印刷された箇所に形成されている。好ましくは、裁断線（ぬいしろ線）２が印刷された箇所よりも広い範囲に形成されている。裁断線（ぬいしろ線）２が印刷された箇所よりも広い範囲に形成されることにより、不慣れな作業者が誤って裁断線（ぬいしろ線）２からある程度逸脱して裁断しても、糸がほつれることを防止できる。布地強化部３が形成される範囲としては、裁断線（ぬいしろ線）２を中心として、両側に夫々３ｍｍ以上且つ５ｍｍ以下の広い範囲で形成されていることが好ましい。
【００２３】
また、布地裏面の一端（図１の左下側）には、ファイルカバー用型紙の裁断や縫い付けに先立ち、これらの練習を行うための練習ぬい用エリア１０が配置されており、ファイルカバー用型紙と同様に裁断線（ぬいしろ線）２、布地強化部３が印刷されている。また、練習用エリア１０内には、縦横に実線が印刷されており、この実線に沿って糸縫いの練習を行うことができる。なお、図１、２、８では、練習ぬい用エリア１０内の縦線を破線で表示することにより、縦線と横線とが異なる色で印刷されていることを表している。
【００２４】
図２には、図１に示したファイルカバー用型紙の裁断線（ぬいしろ線）２に加えて、４ツ穴ボタンつけ位置７、スナップ（凸）つけ位置８、スナップ（凹）つけ位置９等の付属品縫い付け箇所にも布地強化部３を有する教材用布地１が示されている。図２に示されるように、付属品縫い付け箇所に形成される布地強化部３は、付属品縫い付け箇所よりも広い範囲に形成されていることが好ましい。布地強化部３が付属品縫い付け箇所よりも広い範囲に形成されていることにより、ボタンやスナップ等を縫い付ける際、糸を引っ張る力等によって、周囲の布地の強度が低下することを防止できる。布地強化部３が形成される範囲としては、付属品縫い付け箇所を中心にして、１０ｍｍ以上且つ１５ｍｍ以下の広い幅で形成されていることが好ましい。
【００２５】
教材用布地１を用いて作製する作品としては、特に限定されず、ファイルカバー以外にも例えば、ティッシュカバー、ブックカバー、ペンケース、エプロン、小物入れ等があげられる。
【００２６】
次に、本実施形態の教材用布地１の製造方法について記載する。
まず所定の寸法を有する四角形の布地の表面にインクを用いて裁断線（ぬいしろ線）２、できあがり線４ａ〜４ｄ、折り線５、４ツ穴ボタンつけ位置７、スナップ（凸）つけ位置８、スナップ（凹）つけ位置９等の付属品縫い付け箇所、説明部２０、２５、取り付け面表示部２１、付属品表示部２２〜２４、サイズ表示部２６、２７、練習ぬい用エリア１０を印刷する。その後に、これら布地の印刷箇所のうち裁断線（ぬいしろ線）２が印刷された箇所に、バインダを一定幅にて塗布し、乾燥して、布地強化部３を形成することにより本実施形態の教材用布地１を製造することができる。なお、バインダ塗布後の乾燥温度、乾燥時間等の条件は特に限定されず、使用されるバインダの種類等に応じて設定される。
【００２７】
次に、本実施形態の教材用布地１を用いて、ファイルカバーを作成する方法について、説明する。
まず、教材用布地１を裁断線（ぬいしろ線）２に沿って裁断し、長方形状の布地を得る。
【００２８】
次に、図３に示すように、布地の左右両側をでき上がり線４ｂ、４ｄが短辺の外縁となるように三つ折りにし、図中左側をまつり縫い１１、図中右側を千鳥がけ１２で縫う。なお、図３の左右両短辺は三つ折りを図示するため折り曲げ部分が立ち上がった状態となっているが、両辺をそれぞれ縫う際には折り曲げ部分は寝た状態となっている（図４以下で図中立ち上がっている部分も同様である）。
【００２９】
そして、４ツ穴ボタンつけ位置７、スナップ（凸）つけ位置８、スナップ（凹）つけ位置９に、それぞれ４ツ穴ボタン１９、スナップ（凸）１７、スナップ（凹）１８を布地の表面に付けて縫い付ける。
【００３０】
図４に示すように、左右の折り線５から布地の両脇を山折りし、折り返して重ね合わせた箇所を、できあがり線４ａ、４ｃに沿って並縫い１４し、縫い合わせる。これにより布地の左右両側にそれぞれ内側に開口し奥行きの異なるポケットが形成されることとなる。また、アイロンバイアステープつけ位置６の中心に、布地の裏面が谷折りとなるようにアイロンで折り目をつける。そして、アイロンバイアステープつけ位置６に、布地の表面からアイロンバイアステープ１６をアイロンで仮接着した後、直線縫いで縫い付ける。
【００３１】
図５に示すように、並縫い１４で縫い合わせた布地の表裏を反転させ、右側の折り線５から約９ｃｍ（Ａ４の場合）の所をミシンで直線縫い１５する。この直線縫い１５をした部分より図中右側はファイルカバーとなった場合の覆い部２８となる。
【００３２】
図６に示すように、アイロンバイアステープつけ位置６の折り目から左側を折り返し、右側に重ね合わせる。
図７に示すように、覆い部２８を折り返し、スナップ（凸）１７、スナップ（凹）１８で両側を固定することにより、ファイルカバーが完成する。このとき、覆い部２８の表面に４ツ穴ボタン１９が位置することにより、ファイルカバーの意匠性が向上する。
【００３３】
このファイルカバーは、両端が見開き二つ折りタイプのファイルの表紙と裏表紙とを差し込むことのできるポケットとなっており、また一方の端部には覆い部２８があり、ファイルカバー同士を重ね合わせてスナップで閉じることができ、不用意にファイルが開かない。
【００３４】
上記実施形態の教材用布地によれば、以下のような効果を得ることができる。
（１）少なくとも裁断線が印刷された箇所に、布地強化部を有することにより、裁断線に沿って布地を裁断しても、糸ほつれが起こりにくくなる。
【００３５】
（２）好ましくは、布地強化部は、教材用布地がバインダで固められて形成されていることにより、布地の外観を維持することが容易になる。
（３）好ましくは、バインダが、透明な材料であることにより、布地の外観を維持することが容易になる。
【００３６】
（４）好ましくは、付属品縫い付け箇所に布地強化部を有することにより、ボタン、スナップ等の付属品の縫い付けを行っても布地の強度が低下しにくくなる。
（５）好ましくは、裁断線が、ぬいしろ線であることにより、ぬいしろからの糸ほつれが起こりにくくなる。
【００３７】
なお、本実施形態は、次のように変更して具体化することも可能である。
・図８に示すように、型紙を印刷するためのインクは、色が異なる２種類以上のインクを併用してもよい。色が異なる２種類以上のインクを併用することにより、２種類以上の型紙（Ａ４サイズとＢ５サイズ）を１枚の布地に印刷しても、それぞれの型紙を識別することが容易になる。２種類以上の型紙が１枚の布地に印刷されていることにより、型紙を効率良く使用して、作業者の好みに応じて作製する作品を選択することができる。なお、図８では、Ａ４サイズとＢ５サイズの型紙において、対応する線の種類を変えて表示することにより、Ａ４サイズとＢ５サイズの型紙の色が異なることを表している。
【００３８】
・付属品縫い付け箇所は、教材用布地１の表面に印刷してもよい。表面に印刷した方が、４ツ穴ボタン等の付属品を縫いつける際に、縫い付け位置を確認しやすくなる。
・裁断線（ぬいしろ線）２が印刷された箇所に、布地強化部３を有していない箇所を部分的に設けてもよい。布地強化部３を有していない箇所を設けることにより、裁断した箇所の布地にどのように糸ほつれが起こるのかを確認することができる。
【００３９】
・布地強化部３は着色されていてもよい。布地強化部３が着色されていることにより、どこに布地強化部３があるのかが確認しやすくなるため、所定の範囲内で裁断や付属品の縫い付けを行うことが容易になる。
【符号の説明】
【００４０】
１・・教材用布地、２、２’・・裁断線（ぬいしろ線）、３、３’・・布地強化部、４ａ〜４ｄ、４’ａ〜４‘ｄ・・でき上がり線、５、５’・・折り線、６・・アイロンバイアステープつけ位置、７、７’・・４ツ穴ボタンつけ位置、８、８’・・スナップ（凸）つけ位置、９、９’・・スナップ（凹）つけ位置、１０・・練習ぬい用エリア、１１・・まつり縫い、１２・・千鳥がけ、１４・・並縫い、１５・・直線縫い、１６・・アイロンバイアステープ、１７・・スナップ（凸）、１８・・スナップ（凹）、１９・・４ツ穴ボタン、２０、２５・・説明部、２１・・取り付け面表示部、２２〜２４・・付属品表示部、２６、２６’、２７、２７’・・サイズ表示部、２８・・覆い部
【図１】
0003196391.tif 000003
【図２】
0003196391.tif 000004
【図３】
0003196391.tif 000005
【図４】
0003196391.tif 000006
【図５】
0003196391.tif 000007
【図６】
0003196391.tif 000008
【図７】
0003196391.tif 000009
【図８】
0003196391.tif 000010